(57)【要約】【課題】カメラヘッドが接続される内視鏡において、上記カメラヘッドの防水性を確保する。【解決手段】内視鏡１０のベース部１１の基端部に、カメラヘッド２０を着脱自在に接続する接続部１３を設ける。ベース部１１の外周面には、環状のシール溝１４ａを形成する。カメラヘッド２０をドレープ３０で覆う。ドレープ本体３１は、両端が開口された筒状に形成する。このドレープ本体３１の先端縁に環状のシール部材３４を全周にわたって液密に接合一体化する。シール部材３４をシール溝１４ａの全周にわたって液密に密着するようにして嵌め込む。【選択図】図１
2014113243.tif 000002
【特許請求の範囲】
【請求項１】
（イ）基端部に前記カメラヘッドを着脱自在に接続する接続部が設けられたベース部と、前記ベース部の先端部から延びる挿入部とを有し、前記ベース部の外周面には、環状のシール溝が形成された内視鏡と、
（ロ）両端が開口された筒状に形成されて前記カメラヘッドを覆うドレープ本体と、前記ドレープ本体の先端縁の全周にわたって液密に接合一体化された環状のシール部材とを有するドレープと、
を備え、前記シール部材が、前記シール溝の全周にわたって液密に密着するようにして嵌め込まれることを特徴とする内視鏡装置。
【請求項２】
内視鏡のベース部にカメラヘッドが着脱自在に連結される内視鏡装置用のドレープであって、
両端が開口された筒状になっており、前記カメラヘッドを覆うドレープ本体と、
前記ドレープ本体の先端縁の全周にわたって液密に接合一体化され、前記ベース部の外周面に形成された環状のシール溝に全周にわたって液密に密着するようにして嵌められる環状のシール部材と、
を備えたことを特徴とするドレープ。
【請求項３】
カメラヘッドが着脱自在に接続される接続部を有するベース部と、前記ベース部の先端部から延びる挿入部とを備え、
前記ベース部の外周面には、前記カメラヘッドを覆うドレープの先端に液密に接合一体化された環状のシール部材が全周にわたって液密に密着するようにして嵌め込まれる環状のシール溝が形成されていることを特徴とする内視鏡。
【発明の詳細な説明】
【技術分野】
【０００１】
本発明は、カメラヘッドが着脱自在に連結される内視鏡、及び上記カメラヘッドに被せるドレープ、並びにこれら内視鏡及びドレープを備えた内視鏡装置に関し、特に非防水性のカメラヘッドに好適なドレープ及び内視鏡並びに内視鏡装置に関する。
【背景技術】
【０００２】
内視鏡には、術中に被験者の体液や薬液が付着しやすい.。内視鏡にカメラヘッドが付いている場合、カメラヘッドにも体液や薬液が付着しやすい。そのため、この種のカメラヘッドは、通常、防水性であり、体液や薬液で汚れたときは、分解等せずにそのまま水で洗浄できる。
【０００３】
特許文献１によれば、硬性内視鏡のベース部にアダプタを介してカメラヘッドが着脱自在に接続されている。このカメラヘッドが筒状の減菌ドレープで覆われている。減菌ドレープの先端は輪ゴムでアダプタに止められている。
【０００４】
特許文献２では、内視鏡に駆動部が接続されている。駆動部によって、内視鏡の挿入部が駆動される。この駆動装置にドレープが被せられている。ドレープの先端縁には、軟性樹脂製のリング部材が着脱自在に設けられている。このリング部材が、内視鏡の基端の外周面の環状の溝（摺動部）に周方向に摺動可能に嵌められている（００４３、図２Ｂ、図２Ｃ、図５Ｂ）。
【先行技術文献】
【特許文献】
【０００５】
【特許文献１】特開２００４−１３６０３３号公報（００１２、００１３、図１）
【特許文献２】特開２０１０−２２０６８３号公報（００４２、００４３、図２Ｂ、図２Ｃ、図５Ｂ）
【発明の概要】
【発明が解決しようとする課題】
【０００６】
防水性のカメラヘッドは高価である。これに対し、非防水性のカメラヘッドは、安価である一方、薬液や体液等の液体が内部に入り込んで故障しやすく、かつ洗浄するには分解しなければならず面倒である。
特許文献１の装置では、ドレープの先端部を輪ゴムで止める作業が煩雑である。また、輪ゴムの取り付け状態によっては、液体が減菌ドレープの内部に入り込んでカメラヘッドを汚すおそれがある。
特許文献２の装置では、ドレープとリング部材が着脱自在であり、かつリング部材が内視鏡の環状の溝（摺動部）に対して周方向に摺動可能であるために、液密性が十分でない。
【課題を解決するための手段】
【０００７】
上記の事情に鑑み、本発明は、カメラヘッドが着脱自在に接続される内視鏡、及び前記カメラヘッドのためのドレープ（被覆部材）、並びにこれら内視鏡及びドレープを備えた内視鏡装置に係る。
前記内視鏡は、基端部に前記カメラヘッドを着脱自在に接続する接続部が設けられたベース部と、前記ベース部の先端部から延びる挿入部とを有している。前記ベース部の外周面には、環状のシール溝が形成されている。
前記ドレープは、両端が開口された筒状に形成されて前記カメラヘッドを覆うドレープ本体と、前記ドレープ本体の先端縁の全周にわたって液密に接合一体化された環状のシール部材とを有している。前記シール部材が、前記シール溝の全周にわたって液密に密着するようにして嵌め込まれる。
【０００８】
この特徴構成によれば、シール部材をシール溝に嵌め込むことで、ドレープの先端部を内視鏡のベース部にしっかりと止着することができる。したがって、上記止着のために輪ゴムを用いる必要が無く、止着作業を簡易化できる。そして、ドレープでカメラヘッドを覆うことで、カメラヘッドに薬液や体液が付くのを防止できる。特に、ドレープ本体とシール部材を全周にわたって液密に接合一体化することによって、薬液や体液が、ドレープ本体とシール部材との間からドレープ本体の内部に侵入するのを防止できる。加えて、シール部材が全周にわたってシール溝の内面に液密に密着することによって、上記薬液や体液が、内視鏡のベース部の外周面とシール部材との間からドレープ本体の内部に侵入するのを防止できる。したがって、カメラヘッドが上記薬液や体液で濡れるのを確実に防止できる。この結果、カメラヘッドが防水性でなくても、該カメラヘッドが濡れによって故障するのを防止でき、或いは該カメラヘッドを分解して洗浄する手間を省くことができる。
【０００９】
前記シール溝は、前記内視鏡における前記カメラヘッドとの外観上の継ぎ目よりも先端側に設けられることが好ましい。これによって、前記ドレープが、前記カメラヘッドから前記内視鏡に跨って前記継ぎ目を覆うことで、体液や薬液等の液体が前記継ぎ目からカメラヘッドの内部に入り込むのを確実に防止することができる。
【００１０】
前記ベース部における前記シール溝よりも先端側の部分に操作部が設けられていることが好ましい。これによって、操作部がドレープの外部に配置されるようにでき、操作部の操作性が損なわれないようにすることができる。操作部としては、内視鏡の視野若しくは焦点を操作するダイヤル、軟性内視鏡において先端の湾曲部を遠隔で湾曲操作するつまみ等が挙げられる。
【００１１】
前記ドレープ本体の周長は、当該ドレープ本体の先端側部分を除き、前記内視鏡の周長及び前記カメラヘッドの周長よりも十分に大きいことが好ましい。これによって、内視鏡及びカメラヘッドをドレープ内に容易に挿し通すことができる。前記ドレープ本体の先端側部分は、先細に窄まっていることが好ましい。
前記シール部材の周長は、前記ドレープ本体の先端側部分以外の部分の周長よりも小さいことが好ましい。
前記シール溝の先端側の外周縁の外径又は周長が、前記内視鏡における前記外周縁よりも先端側の部分における最大外径又は最大周長であることが好ましい。前記シール部材の内径又は内周長は、前記外周縁の外径又は周長より少しだけ小さいことが好ましい。これによって、ドレープを取り付ける際、シール部材をシール溝の近くで少しだけ拡径方向に変形させれば、シール部材がシール溝に達するようにできる。
さらに、前記ベース部における前記シール溝よりも先端側の部分が段階的又は連続的に先細になっており、前記挿入部が、前記ベース部の先端部よりも小径であることが好ましい。これによって、ドレープを取り付ける際、前記シール部材が前記内視鏡の先端から前記シール溝の近くに達する迄の間は、ドレープ内に内視鏡をスムーズに挿通させることができる。
【発明の効果】
【００１２】
本発明によれば、内視鏡に接続したカメラヘッドに対する防水用のドレープの先端部を内視鏡に簡単に、かつしっかりと止めることができる。しかも、ドレープの先端部と内視鏡との間のシール性を確実に確保できる。したがって、カメラヘッドに薬液や体液が付くのを防止でき、カメラヘッドが非防水性であっても、濡れによる故障が起きるのを防止できる。また、洗浄の手間を省くことができる。
【図面の簡単な説明】
【００１３】
【図１】図１は、本発明の第１実施形態を示し、内視鏡システムの概略構成を示す側面図である。
【図２】図２は、上記内視鏡システムの内視鏡、カメラヘッド、及びドレープを互いに分離した状態で示す側面図である。
【図３】図３は、上記ドレープの先端部の内視鏡への止着部を拡大して示す側面断面図である。
【発明を実施するための形態】
【００１４】
以下、本発明の一実施形態を図面にしたがって説明する。
図１は、内視鏡システム１を示したものである。内視鏡システム１は、内視鏡装置２と、映写装置３を備えている。内視鏡装置２は、内視鏡１０と、この内視鏡１０に付属のドレープ３０を含む。映写装置３は、カメラ装置２０と、処理装置４と、モニタ５（表示装置）を含む。
【００１５】
図１及び図２に示すように、内視鏡１０は、ベース部１１及び挿入部１２を有する硬性内視鏡であり、軸線Ｌ１０に沿って直線状に延びている。ベース部１１は、軸方向を軸線Ｌ１０に沿わせた概略筒状に形成されている。ベース部１１の軸方向の先端部（図２において右）に、硬性の挿入部１２が連なっている。挿入部１２は、ベース部１１よりも小径で、かつ軸線Ｌ１０に沿って真っ直ぐにベース部１１よりも長く延びている。挿入部１２の先端面は、軸線Ｌ１０に対して斜めになっており、挿入部１２の先端部が尖っている。
なお、挿入部１２の先端面が、軸線Ｌ１０に対して直交していてもよい。
【００１６】
図示は省略するが、ベース部１１及び挿入部１２の内部には、光ファイバ等からなるライトガイド及びイメージガイドが収容されている。ライトガイドは、光源（図示省略）からの光を先端方向へ伝送し、挿入部１２の先端から出射させる。イメージガイドは、挿入部１２の先端から挿入部１２内に入射した光を基端方向（図２において左）へ伝送する。さらに、ベース部１１の内部には、レンズ等の１又は複数の光学部材（図示省略）が格納されている。イメージガイドを伝った光が、上記光学部材を介してカメラ装置２０に送られる。
【００１７】
ベース部１１の構造を更に詳述する。
図２に示すように、ベース部１１は、カメラ接続部１３と、ドレープ止着部１４と、操作部１５と、先細部１６を有している。これらベース部要素１３，１４，１５，１６は、この順に軸線Ｌ１０に沿って基端側（図２において左）から先端側（図２において右）に並んでいる。
【００１８】
ベース部１１の基端部（図２において左端）には、接続部１３が設けられている。接続部１３は、軸線Ｌ１０に沿う軸長が外径より短い円筒状になっている。接続部１３の外周面には、係止溝１３ａが形成されている。係止溝１３ａは、接続部１３を一周する環状になっている。接続部１３の外周面の周方向の所定箇所には、位置出しピン１３ｃが突出するように設けられている。
【００１９】
ドレープ止着部１４は、軸線Ｌ１０に沿う軸長が外径より短い円筒状になっている。ドレープ止着部１４の外周面にはシール溝１４ａが形成されている。シール溝１４ａは、ドレープ止着部１４を一周する環状になっている。ドレープ止着部１４の外径は、接続部１３の外径よりも大きい。そのため、接続部１３とドレープ止着部１４の間に段差１３ｄが形成されている。内視鏡１０の外径及び周長は、ドレープ止着部１４（シール溝１４ａを除く）において最大になっている。したがって、シール溝１４ａにおける先端側（操作部１５の側、図２において右）の外周縁１４ａｅの外径Ｄ１４（周長）は、内視鏡１０におけるシール溝１４ａよりも先端側（図２において右）の部分１０ｅにおける最大外径（最大周長）を構成している。ここで、上記先端側の部分１０ｅは、ドレープ止着部１４におけるシール溝１４ａと操作部１５との間の環状部分１４ｂの他、操作部１５及び先細部１６、並びに挿入部１２を含む。先端側部分１０ｅは段階的に先細になっている。
【００２０】
操作部１５は、フォーカスダイヤル１５ａ及びズームダイヤル１５ｂを含む。これらダイヤル１５ａ，１５ｂは、軸線Ｌ１０と同軸の環状になっており、外周面には握りを良くするための凹凸がそれぞれ形成されている。ズームダイヤル１５ｂは、フォーカスダイヤル１５ａよりも先細部１６の側（図２において右）に配置されているが、これとは逆順に配置されていてもよい。また、ズームダイヤル１５ｂは、フォーカスダイヤル１５ａよりも軸長が大きいが、その逆でもよく、両者の軸長が等しくてもよい。さらに、ズームダイヤル１５ｂは、先端側がやや縮径してテーパ状になっているが、ストレート状であってもよい。フォーカスダイヤル１５ａがテーパ状になっていてもよい。
【００２１】
フォーカスダイヤル１５ａ及びズームダイヤル１５ｂは、互いに独立して、ベース部１１の本体（接続部１３、ドレープ止着部１４、先細部１６を含む）に対して軸線Ｌ１０の周りに回転可能になっている。図示は省略するが、各ダイヤル１５ａ，１５ｂは、ベース部１１内の上記１又は複数の光学部材に連繋されている。フォーカスダイヤル１５ａを回転させることで、上記光学部材を操作して、内視鏡１０の焦点を調節できる。また、ズームダイヤル１５ｂを回転させることで、上記光学部材を操作して、内視鏡１０の視野の広狭を調節できる。
【００２２】
先細部１６は、複数段（ここでは２段）の異径筒部１６ａ，１６ｂを含む。これら筒部１６ａ，１６ｂが、軸線Ｌ１０に沿って基端側（図２において左）から順に直列に連ねられている。先細部１６における基端の筒部１６ａは、ズームダイヤル１５ｂの先端部よりも少し小径の円筒状になっている。先細部１６における先端の筒部１６ｂから挿入部１２が延びている。挿入部１２は、筒部１６ｂよりも小径である。操作部１５と筒部１６ａの間、筒部１６ａ，１６ｂどうしの間、筒部１６ｂと挿入部１２との間には、それぞれテーパ部１６ｃ，１６ｄ，１６ｅが介在されている。
【００２３】
図１に示すように、内視鏡１０の基端側（図１において左）には、カメラ装置２０が接続されている。カメラ装置２０は、カメラヘッド２１と、ケーブル２２を備えている。カメラヘッド２１は、概略筒状になっている。詳細な図示は省略するが、カメラヘッド２１には、ＣＣＤ等の撮像部が格納されている。内視鏡１０の上記光学部材からの光信号が、撮像部によって撮像信号（電気信号）に変換される。カメラヘッド２１は、非防水性である。すなわち、防水機能を有しておらず、外面に液体が付くとその液体が内部に侵入しやすい。
【００２４】
図２に示すように、カメラヘッド２１の先端部（図２において右端）には、内視鏡接続部２３が設けられている。接続部２３は、円筒状の接続筒２３ｘと、球状の係止体２３ａを含む。接続筒２３ｘは、それより基端側（図２において左）のカメラヘッド２１に対して軸方向（図２において左右）にスライド可能になるとともに、内蔵のバネ等の付勢手段（図示省略）によって先端側（図２において右）に弾性的に押されている。接続筒２３ｘの内周部に係止体２３ａが設けられている。接続筒２３ｘを上記付勢手段に抗して基端側に変位させると、係止体２３ａが径方向に変位自在になる。そこから接続筒２３ｘを上記付勢手段によって先端側にスライドさせると、係止体２３ａが径方向の内側に押し動かされるようになっている。また、接続部２３の内周面の周方向の所定箇所には、位置出し穴２３ｃが形成されている。
【００２５】
図１に示すように、組状態において、接続筒２３ｘの内部に接続部１３が挿入されるとともに、係止体２３ａが径方向内側に押されて係止溝１３ａに嵌り込んでいる。これによって、接続部１３，２３どうしが接続され、カメラ装置２０が内視鏡１０に着脱自在に連結されている。カメラ装置２０の軸線は、内視鏡１０の軸線Ｌ１０と同軸になっている。図３に示すように、位置出し穴２３ｃには、位置出しピン１３ｃが嵌め込まれている。これによって、内視鏡１０とカメラ装置２０の軸線Ｌ１０まわりの角度が位置決めされている。更に、接続筒２３ｘの先端面すなわちカメラヘッド２１の先端面が段差１３ｄに突き当たるか又は十分に近接している。したがって、接続筒２３ｘの先端面及び段差１３ｄの外周縁が、内視鏡１０及びカメラ装置２０の外観上の継ぎ目１９を構成する。継ぎ目１９は、シール溝１４ａよりも基端側（図１において左）に配置されている。
【００２６】
上記組状態から接続筒２３ｘを上記付勢手段に抗して基端側（図１において左）へスライドさせると、係止体２３ａが径方向の外側へ変位可能になることで係止溝１３ａから外れる。これによって、接続部１３，２３どうしの接続が解除され、カメラ装置２０と内視鏡１０との連結が解除される。
【００２７】
カメラヘッド２１の基端部（図１において左）からケーブル２２が延びている。ケーブル２２の端部にコネクタ２４が設けられている。コネクタ２４が処理装置４に接続されている。処理装置４にモニタ５（表示装置）が接続されている。カメラヘッド２１の撮像部からの撮像信号が、ケーブル２２を介して処理装置４に入力される。処理装置４は、上記撮像信号をビデオ信号に変換し、このビデオ信号をモニタ５に出力する。これによって、内視鏡１０の観察画像が、モニタ５に表示される。
【００２８】
図１に示すように、内視鏡装置２には、カメラ装置２０のためのドレープ３０が設けられている。ドレープ３０は、ドレープ本体３１と、シール部材３４を備えている。ドレープ本体３１の材質は、例えばビニールやナイロン（登録商標）等の樹脂であり、好ましくは透明な樹脂であるが、これに限定されるものではない。図２に示すように、ドレープ本体３１は、両端が開口された筒状になっている。ドレープ本体３１の軸長は、カメラヘッド２１の軸長より十分に大きく、カメラヘッド２１とケーブル２２を合わせた長さよりも少し小さい。ドレープ本体３１の先端側の部分３１ａは、先細に窄まっている。この先端側部分３１ａを除いて、ドレープ本体３１の周長は一定であり、かつ内視鏡１０の各部の周長及びカメラ装置２０の各部の周長よりも十分に大きい。
【００２９】
ドレープ本体３１は、カメラヘッド２１の全体を覆うとともに、ケーブル２２のヘッド２１側の部分にも被さっている。さらに、ドレープ本体３１の先端側部分３１ａは、ベース部１１とカメラヘッド２１の間に跨り、継ぎ目１９に被さっている。
【００３０】
図２に示すように、シール部材３４は、ゴム等からなるＯリングにて構成され、環状になっている。自然状態におけるシール部材３４の内直径Ｄ３４（周長）は、シール溝１４ａの外周縁１４ａｅの直径Ｄ１４（周長）よりも小さく、更にはシール溝１４ａの内底面の直径Ｄ１４ａ（周長）よりも僅かに小さい（Ｄ３４＜Ｄ１４ａ＜Ｄ１４）。また、自然状態におけるシール部材３４の軸方向の厚みＴ３４は、シール溝１４ａの溝幅Ｗ１４よりも僅かに大きい（Ｔ３４＞Ｗ１４）。図１に示すように、組状態において、シール部材３４は、継ぎ目１９よりも先端側（図１において左）に配置されている。このシール部材３４が、シール溝１４ａに嵌め込まれるとともに、シール溝１４ａの内面（内底面及び一対の内側面）の全周にわたって液密に密着している。
【００３１】
図３に示すように、ドレープ本体３１の先端縁が全周にわたってシール部材３４に液密に接合されて一体化されている。ドレープ本体３１とシール部材３４の接合手段として、例えばヒートシール、超音波シール等が挙げられる。或いは、ドレープ本体３１とシール部材３４の接合手段として、ホットメルト接着剤、光硬化接着剤などの接着剤を用いてもよい。
【００３２】
上記構成の内視鏡システム１を組み立てる際は、内視鏡１０の接続部１３とカメラ装置２０の接続部２３を嵌合させることで、内視鏡１０とカメラ装置２０を連結する。次に、内視鏡１０及びカメラヘッド２１をドレープ３０内に通す。詳細には、内視鏡１０の挿入部１２をドレープ３０の基端（図２において左）の開口からドレープ３０内に差し入れる。更には、内視鏡１０のベース部１１及びカメラヘッド２１を順次ドレープ３０内に差し入れる。そして、内視鏡１０の先端側部分１０ｅをシール部材３４から外に出す。このとき、シール部材３４がシール溝１４ａの近くに達するまでは、シール部材３４の内径Ｄ３４が挿入部１２及び先細部１６の外径よりも大きいために、シール部材３４をシール溝１４ａに向けて軸方向に簡単に移動させることができる。シール部材３４がシール溝１４ａの近く、具体的には操作部１５の辺りに達すると、シール部材３４がベース部１１の外周面に引っ掛かる。そこからは、シール部材３４を少し拡径変形させてシール溝１４ａに向けて摺動させる。この摺動距離は僅かである。つまり、シール部材３４を上記引っ掛かった位置から少し摺動させれば、シール部材３４がシール溝１４ａに達する。これによって、シール部材３４をシール溝１４ａに嵌め込むことができる。この嵌め込みによって、ドレープ３０の先端部を内視鏡１０に簡単に止着することができる。したがって、ドレープ３０の先端部を止着するために輪ゴムを用いる必要が無く、止着操作を容易化できる。
【００３３】
シール部材３４は、シール溝１４ａに嵌め込まれることで、軸方向に圧縮されるとともいに、径方向に拡径されるように弾性変形して、シール溝１４ａの内面（内側面及び内底面）の全周に強く当たって密着される。これによって、シール部材３４とシール溝１４ａの内面との間が液密にシールされる。ひいては、ドレープ３０の先端縁と内視鏡１０との間の液密性（シール性）を充分に確保できる。したがって、内視鏡システム１の使用中（術中）に、被験者の体液や薬液が内視鏡１０の外面を伝って、ドレープ３０の先端縁と内視鏡１０との間からドレープ３０の内部に侵入するのを防止できる。また、ドレープ本体３１の先端縁とシール部材３４が全周にわたって液密に接合一体化されているため、上記体液や薬液が、ドレープ本体３１の先端縁とシール部材３４との間からドレープ３０の内部に侵入するのを防止できる。したがって、カメラヘッド２１に上記体液や薬液が付着するのを確実に回避できる。さらに、シール部材３４及びシール溝１４ａが継ぎ目１９よりも先端側に位置し、ドレープ本体３１が継ぎ目１９に被さることで、液体が継ぎ目１９からカメラヘッド２１の内部に侵入するのを確実に防止できる。この結果、カメラヘッド２１が非防水性であっても、該非防水性のカメラヘッド２が上記体液や薬液の侵入によって故障するのを抑制又は防止することができる。また、カメラヘッド２１を分解して洗浄する必要性を低減できる。
操作部１５については、ドレープ３０で覆われないようにすることで、操作性を確保できる。
【００３４】
本発明は、上記実施形態に限られず、その趣旨を逸脱しない範囲内で種々の改変をなすことができる。
例えば、内視鏡１０及びドレープ３０の大きさ、形状、構造等は適宜改変できる。
内視鏡１０は、硬性内視鏡に限られず、軟性内視鏡であってもよい。すなわち、操作部１２が、フレキシブルであってもよく、更に操作部１２の先端部が湾曲操作可能であってもよい。操作部１５に、操作部１２の先端部を遠隔的に湾曲操作するための操作つまみを設けてもよい。
カメラヘッド２０が防水性を有していてもよい。
【００３５】
カメラヘッド２０の接続部２３が、内視鏡１０の接続部１３よりも小径に形成されており、該接続部２３が、接続部１３内に挿入されて嵌合されるようになっていてもよい。この場合、接続部１３の基端面の外周縁が、内視鏡１０とカメラヘッド２０との外観上の継ぎ目を構成する。
内視鏡１０の接続部１３とカメラヘッド２０の接続部２３との接続手段は、上記に限られず、例えばネジ方式などであってもよい。
【００３６】
シール部材３４は、シール溝１４ａの内底面と一対の内側面とのうち何れかに密着すればよい。したがって、Ｄ３４＜Ｄ１４ａかつＴ３４≦Ｗ１４であってもよい。また、Ｄ１４＞Ｄ３４≧Ｄ１４ａかつＴ３４＞Ｗ１４であってもよい。
【産業上の利用可能性】
【００３７】
本発明は、内視鏡システムに適用できる。
【符号の説明】
【００３８】
１      内視鏡システム
２      内視鏡装置
３      映写装置
４      処理装置
５      モニタ（表示装置）
１０    内視鏡
１１    ベース部
１２    挿入部
１３    カメラ接続部
１４    ドレープ止着部
１４ａ  シール溝
１４ａｅ  外周縁
１５    操作部
１６    先細部
１９    継ぎ目
２０    カメラ装置
２１    カメラヘッド
２２    ケーブル
２３    内視鏡接続部
２４    コネクタ
３０    ドレープ
３１    ドレープ本体
３１ａ  先端側部分
３４    シール部材
【図１】
2014113243.tif 000003
【図２】
2014113243.tif 000004
【図３】
2014113243.tif 000005